(57)【要約】【課題】現場の湯と水の供給圧力条件に応じて、正確な設定温度で吐水動作を行うことができる湯水混合装置を提供する。【解決手段】  湯側シート面及び水側シート面を備えた湯水混合装置本体と、両側にシート部が形成されており、湯水混合装置本体内に移動可能に配置され、移動されることにより各シート部と湯側シート面及び水側シート面との間の隙間を変化させ、本体内に流入する湯及び水の流量を変化させる主弁体と、主弁体を吐水口へ向かう方向に摺動させるように付勢する付勢手段と、付勢手段とは逆方向に主弁体を付勢し、混合された湯水の温度に応じて付勢力が変化する感温付勢手段とを有し、湯水混合装置本体は湯側シート面及び水側シート面のうち一方が設けられた第１本体部と、湯側シート面及び水側シート面のうち他方が設けられた第２本体部とを備え、第２本体部は第１本体部に対して主弁体の移動方向に沿って離散した複数位置に組みつけられる。【選択図】  図３
2015059653.tif 000002
【特許請求の範囲】
【請求項１】
供給された湯及び水を混合し、適温に調整された湯水を吐水口から吐出させる湯水混合装置であって、
湯側シート面及び水側シート面を備えた湯水混合装置本体と、
両側にシート部が形成されており、前記湯水混合装置本体の内部に移動可能に配置され、移動されることにより、前記各シート部と前記湯側シート面及び前記水側シート面との間の隙間を変化させ、前記湯水混合装置本体内に流入する湯及び水の流量を変化させる主弁体と、
前記主弁体を前記吐水口へ向かう方向に摺動させるように付勢する付勢手段と、
前記付勢手段とは逆の方向に前記主弁体を付勢し、前記湯水混合装置本体内で混合された湯水の温度に応じて付勢力が変化する感温付勢手段と、を有し、
前記湯水混合装置本体は、前記湯側シート面及び前記水側シート面のうち一方が設けられた第１本体部と、
前記湯側シート面及び前記水側シート面のうち他方が設けられた第２本体部と、を備え、
前記第２本体部は、前記第１本体部に対して、前記主弁体の移動方向に沿って離散した複数位置に組みつけられることを特徴とする湯水混合装置。
【請求項２】
前記第２本体部は、前記第１本体部に設けられた開口部へ挿入されることで結合し、
前記第１本体部又は前記第２本体部には、外部へ突出する突出部が設けられており、
前記突出部が設けられていない方の前記第１本体部又は前記第２本体部には、前記突出部と嵌合し、前記突出部が前記開口部方向へ移動することを規制する複数の段部によって段状に形成された嵌合部が設けられており、
前記突出部が、前記複数の段部を移動することで、前記第１本体部に対する前記第２本体部の挿入量を調整することを特徴とする請求項１に記載の湯水混合装置。
【請求項３】
前記複数の段部のうち、前記開口部から最も離間した段部若しくは最も接近した段部に、前記挿入方向へ凸設した凸部が設けられていることを特徴とする請求項２に記載の湯水混合装置。
【請求項４】
前記複数の段部には、前記突出部を前記複数の段部に固定するために、前記挿入方向へ凸設した凸部が設けられていることを特徴とする請求項３に記載の湯水混合装置。
【請求項５】
前記第２本体部が、前記第１本体部に対して回転することで、前記第１本体部に対する前記第２本体部の挿入量を調整し、
前記第１本体部は、基準位置となる第１表示部を備え、
前記第２本体部は、前記突出部が前記複数の段部を移動したとき、前記第１表示部と同一直線上に位置する箇所にそれぞれ第２表示部を備えることを特徴とする請求項１乃至４の何れか１項に記載の湯水混合装置。
【発明の詳細な説明】
【技術分野】
【０００１】
本発明は、供給された湯及び水を混合し、適温に調整された湯水を吐出させる湯水混合装置に関する。
【背景技術】
【０００２】
従来の湯水混合装置の一例として、円筒状の湯水混合装置本体内部に摺動可能に配置された円筒状の主弁体の両側に感温ばねとバイアスばねが配置され、これらのばねによる付勢力が釣り合う位置に主弁体が移動されるようになっているものが知られている。このような湯水混合装置においては、混合された湯の温度が上昇すると、感温ばねの付勢力が増加して湯水混合装置本体に形成された湯側シート面と主弁体との間の隙間が狭くなり、水側シート面と主弁体との間の隙間が広くなるように主弁体が移動され、湯水混合装置から吐出される湯の温度が操作ハンドルにより設定された所定の温度に調整されるようになっている。
【０００３】
これらの湯水混合装置において、湯と水の供給圧力条件によって、吐水温度にばらつきが生じてしまうという問題が存在する。また、それぞれの吐水に必要な圧力（それぞれの吐水口に発生する抵抗）が異なることから水栓のスパウトから吐水される温度と、シャワーから吐水される温度が異なってしまうという問題も存在した。
これらの課題を解決するために、特開２０００−２６６２２７号公報（特許文献１）には、湯水混合装置の温度調節性能を向上させ、吐出される湯の温度の設定温度からのずれを抑制するには、湯側シート面と水側シート面との間で移動される主弁体のストロークを小さくすることが有効であることが記載されている。また、吐水量が定期的に振動する所謂ハンチングや、ウォーターハンマーといった現象の低減にも、ストロークを小さくすることが有効であることが知られている。
【０００４】
しかし、ストロークを小さくするということは、湯と水の流入面積が減るということを意味しており、必然的に流量が低下してしまうという課題が存在する。そのため、特開２００７−２０５５４７号公報（特許文献２）では、シート面の形状を変更することで流入量を増加させる試みが提案されている。
【０００５】
しかしながら、シート面の形状を複雑化するとシール性能の低下を引き起こし、水のみを利用したい場合でも湯が流入してしまい、給湯器が着火してしまう可能性があるため、シール性能を向上させる工夫が必要であるなどの課題が存在した。
これを回避するためには、現場の給水圧条件や望まれる性能に応じて別々の湯水混合装置を設置するという方法が考えられるが、施工現場において、必要な湯水混合装置を選び、設置対応を行うのは複雑であり、面倒である。
【０００６】
【特許文献１】特開２０００−２６６２２７号公報
【特許文献２】特開２００７−２０５５４７号公報
【発明の開示】
【発明が解決しようとする課題】
【０００７】
そこで、本発明は、上述した課題を解決するためになされたものであり、現場の湯と水の供給圧力条件に応じた正確な温度調節性能と、吐水性能（吐水量）と、を使用者が望むバランスに調整することができる湯水混合装置を提供することを目的としている。
【課題を解決するための手段】
【０００８】
上述した目的を達成するために、本発明は、供給された湯及び水を混合し、適温に調整された湯水を吐水口から吐出させる湯水混合装置であって、湯側シート面及び水側シート面を備えた湯水混合装置本体と、両側にシート部が形成されており、前記湯水混合装置本体の内部に移動可能に配置され、移動されることにより、前記各シート部と前記湯側シート面及び前記水側シート面との間の隙間を変化させ、前記湯水混合装置本体内に流入する湯及び水の流量を変化させる主弁体と、前記主弁体を前記吐水口へ向かう方向に摺動させるように付勢する付勢手段と、前記付勢手段とは逆の方向に前記主弁体を付勢し、前記湯水混合装置本体内で混合された湯水の温度に応じて付勢力が変化する感温付勢手段と、を有し、前記湯水混合装置本体は、前記湯側シート面及び前記水側シート面のうち一方が設けられた第１本体部と、前記湯側シート面及び前記水側シート面のうち他方が設けられた第２本体部と、を備え、前記第２本体部は、前記第１本体部に対して、前記主弁体の移動方向に沿って離散した複数位置に組みつけられることを特徴としている。
【０００９】
このように構成された本発明においては、第２本体部は、第１本体部に対して、主弁体の移動方向に沿って離散した複数位置に組みつけられる。これにより第１本体部と第２本体部との相対的距離、つまり主弁体が移動できる距離（ストローク）を調整でき、供給圧力条件に応じた正確な温度調節性能と、吐水性能（吐水量）と、を使用者が望むバランスに調整することができる。具体的には、主弁体が移動できる距離（ストローク）を小さくすることで温度調節性能を向上させ、逆に大きくすることで吐水性能を向上させることができる。また、現場の給水圧条件や使用者の所望の性能に応じて別々の湯水混合装置を設置する必要がなく、手間がかからない。
【００１０】
本発明において、好ましくは、前記第２本体部は、前記第１本体部に設けられた開口部へ挿入されることで結合し、前記第１本体部又は前記第２本体部には、外部へ突出する突出部が設けられており、前記突出部が設けられていない方の前記第１本体部又は前記第２本体部には、前記突出部と嵌合し、前記突出部が前記開口部方向へ移動することを規制する複数の段部によって段状に形成された嵌合部が設けられており、前記突出部が、前記複数の段部を移動することで、前記第１本体部に対する前記第２本体部の挿入量を調整するように構成されている。
【００１１】
このように構成された本発明においては、第１本体部又は第１本体部には段状に形成された嵌合部とそれに嵌合される突出部が設けられているので、突出部は複数の段部間を移動することで簡単にストロークを調整できる。また、ストロークを段階的に調整できるので、使い勝手が良い。
【００１２】
本発明において、好ましくは、前記複数の段部のうち、前記開口部から最も離間した段部若しくは最も接近した段部に、前記挿入方向へ凸設した凸部が設けられているように構成されている。
【００１３】
このように構成された本発明においては、複数の段部のうち、第１本体部から最も離間した段部若しくは最も接近した段部に、挿入方向へ凸設した凸部が設けられているため、使用者が意図せず、第１本体部と第２本体部とが分離してしまうことを防ぐことができる。
【００１４】
本発明において、好ましくは、前記複数の段部には、前記突出部を前記複数の段部に固定するために、前記挿入方向へ凸設した凸部が設けられているように構成されている。
【００１５】
このように構成された本発明においては、複数の段部には、突出部を複数の段部に固定するために、挿入方向へ凸設した凸部が設けられているため、使用者が意図せずに第２本体部が段部間を移動してしまうことを防ぐことができる。
【００１６】
本発明において、好ましくは、前記第２本体部が、前記第１本体部に対して回転することで、前記第１本体部に対する前記第２本体部の挿入量を調整し、前記第１本体部は、基準位置となる第１表示部を備え、前記第２本体部は、前記突出部が前記複数の段部を移動したとき、前記第１表示部と同一直線上に位置する箇所にそれぞれ第２表示部を備えるように構成されている。
【００１７】
このように構成された本発明においては、使用者は第２本体部の挿入量を調整するために、第２本体部を回転させることになる。このとき、第１本体部が基準位置となる第１表示部を備えており、また第２本体部が、突出部が位置する複数の段部のそれぞれに応じて第２表示部を備えていることによって、両者を見比べることで突出部が現在どの段部に嵌合しているかを目視で確認することができるようになる。このような構造を採用することで、通常は目視で確認できない程度に微細なストロークの調整量を、目視できるようになり、確実に望みのストロークに設定することができるようになる。
【発明の効果】
【００１８】
本発明の湯水混合装置によれば、現場の湯と水の供給圧力条件に応じて、正確な設定温度で吐水動作を行うことができる湯水混合装置を提供することができる。
【図面の簡単な説明】
【００１９】
【図１】本発明の一実施形態による湯水混合水栓全体を示す外観図である。
【図２】本発明の一実施形態による湯水混合水栓に内蔵されている湯水混合装置の断面図である。
【図３】図２における湯水混合装置を示す外観図である。
【図４】本発明の一実施形態による湯水混合水栓に内蔵されている湯水混合装置の断面図である。
【図５】図４における湯水混合装置を示す外観図である。
【図６】吐出口側から見た、図３における湯水混合装置を示す図である。
【図７】吐出口側から見た、図５における湯水混合装置を示す図である。
【発明を実施するための最良の形態】
【００２０】
以下、本発明の一実施形態による湯水混合水栓を、添付図面を参照して説明する。図１は、本発明の一実施形態による湯水混合水栓全体を示す外観図である。
図１に示すように、本発明の一実施形態による湯水混合水栓１は、水栓本体２と、この水栓本体２に給湯器（図示せず）からの湯を供給する湯供給脚４と、水栓本体２に水道水を供給する水供給脚６と、を有する。さらに、湯水混合水栓１は、水栓本体２左端部に取り付けられた湯温調節用操作ハンドル８と、右端部に取り付けられた吐止水切替ハンドル１０と、を有する。また、湯水混合水栓１は、温度調節された湯を吐出させる吐出部であるカラン１２及びシャワーヘッド１４を有する。さらに、水栓本体２には、開閉弁である切替バルブ１６が内蔵されている。本実施形態の湯水混合水栓１は、湯供給脚４及び水供給脚６からそれぞれ供給された湯及び水を、湯温調節用操作ハンドル８によって設定された温度になるように混合し、吐止水切替ハンドル１０を操作して、カラン１２又はシャワーヘッド１４から吐出させるように構成されている。
【００２１】
湯供給脚４は、壁面に設けられた給湯管（図示せず）と水栓本体２とを連結し、水栓本体２に湯を供給するように構成されている。
水供給脚６は、壁面に設けられた水道管（図示せず）と水栓本体２とを連結し、水栓本体２に水を供給するように構成されている。
【００２２】
水栓本体２には、湯供給脚４及び水供給脚６を介して導入された湯及び水を、適宜混合して所望の温度に調節する湯水混合装置２０が内蔵されている。また、水栓本体２に取り付けられた吐止水切替ハンドル１０は、これを回転操作することによって、水栓本体２に内蔵された切替バルブ１６を切替え、止水状態、カラン１２からの吐水状態、シャワーヘッド１４からの吐水状態が切替えられるようになっている。吐止水切替ハンドル１０をカランの側に回転させると、湯水混合装置２０によって適温に混合された湯がカラン１２から吐水され、吐止水切替ハンドル１０をシャワーの側に回転させると、適温に混合された湯が、シャワーヘッド１４から吐水される。
【００２３】
また、湯温調節用操作ハンドル８は、これを廻すことによって水栓本体２に内蔵された湯水混合装置２０を操作し、湯水混合装置２０によって調節される湯の温度を変化させることができるように構成されている。
【００２４】
つぎに、図２を参照して、本実施形態の湯水混合水栓１に内蔵された湯水混合装置２０を説明する。図２は湯水混合装置２０の断面図である。
【００２５】
図２に示すように、湯水混合装置２０は、第１本体部材（第１本体部）２２と、この第１本体部材２２に取り付けられている第２本体部材（第２本体部）２４と、湯温調節用操作ハンドル８に連結される送りねじ２６と、この送りねじ２６に螺合され、送りねじ２６が回転されると第１本体部材２２内で摺動する摺動部材２８と、を有する。
また、湯水混合装置２０は、第１本体部材２２の内部に移動可能に配置された主弁体３０と、主弁体３０を図２における右方向に付勢する付勢部であるバイアスばね３２と、バイアスばね３２とは反対方向の図２における左方向に主弁体３０を付勢する感温付勢部である感温ばね（感温付勢手段）３４と、を有する。本実施形態においては、感温ばね３４として、形状記憶合金製のコイルばねを使用している。
【００２６】
第１本体部材２２は、概ね円筒状の形態であり、図２において右側に位置する第２本体部材２４と嵌合されることにより湯水混合装置本体２０ａを構成している。また、第１本体部材２２には、湯を流入させるための湯導入口２２ａ及び水を流入させるための水導入口２２ｂがそれぞれ円周方向に設けられている。また、湯導入口２２ａの図２における左側の端面は、主弁体３０と当接する湯側シート面２２ｃとして形成されている。
【００２７】
第２本体部材２４は、概ね円筒状の形態であり、第１本体部材２２に設けられた開口部６０へ挿入し、その外周端部に形成された突出部２５を、第１本体部材２２の端部に形成された嵌合部２３と嵌合させることによって、第１本体部材２２に組み付けられている。具体的な組み付け構造に関しては、後述する。また、第２本体部材２４の第１本体部材２２挿入側の先端部は、主弁体３０と当接する水側シート面２４ｂとして形成されている。さらに、第２本体部材２４の水側シート面２４ｂとは反対側の端部には、湯水混合装置本体２０ａ内で混合された湯を流出させる吐出口２４ｃが形成されている。
【００２８】
送りねじ２６は、第１本体部材２２の内部に回転可能に配置されている。送りねじ２６の一方の端部には、湯温調節用操作ハンドル８が取り付けられるスプライン部２６ａが形成され、他方の端部には、摺動部材２８と螺合される送り雄ねじ部２６ｂが形成されている。
【００２９】
摺動部材２８は、概ね円筒形の形態であり、第１本体部材２２の内部に摺動可能に配置されている。また、摺動部材２８の外側には、軸線方向の溝（図示せず）が形成されており、この溝（図示せず）が、第１本体部材２２の内部に形成された軸線方向に延びる突起（図示せず）を受け入れることによって、摺動部材２８の第１本体部材２２に対する回転が拘束されている。さらに、摺動部材２８の内側には、送りねじ２６の送り雄ねじ部２６ｂと螺合される送り雌ねじ部２８ａが形成されている。これにより、送りねじ２６を回転させると、摺動部材２８は第１本体部材２２の軸線方向に摺動される。
【００３０】
主弁体３０は、概ね円筒状の円筒部３０ａを有し、この円筒状の円筒部３０ａの両端には、湯側シート面２２ｃと当接する湯側シート部３０ｂと、水側シート面２４ｂと当接する水側シート部３０ｃがそれぞれ形成されている。
【００３１】
主弁体３０の図２における左側には、ブッシュ４４、バイアスばね３２、ばね押え部材４６、及び、クリップ４８が配置されている。ブッシュ４４は、クリップ４８を介してばね押え部材４６に連結されている。ブッシュ４４は、主弁体３０とは別体として、主弁体３０の内部に軸方向に相対的に移動可能に配置され、湯水混合装置本体２０ａ内に供給された湯及び水の混合を促進する湯水混合促進部材として機能している。ばね押え部材４６は、中央部が隆起したドーナツ板状の金具であり、摺動部材２８とバイアスばね３２との間に介在して設けられており、バイアスばね３２の左側端部を押えて保持している。これらの構成により、湯温調節用操作ハンドル８の操作によって摺動部材２８が図２における右方向に摺動してばね押え部材４６に当接すると、ばね押え部材４６が図２における右方向に移動し、バイアスばね３２が圧縮されて主弁体３０を図２における右方向に付勢するようになっている。
一方、主弁体３０の図２における右側には、感温ばねガイド部材５０及び感温ばね３４が配置されている。感温ばねガイド部材５０は、概ね円筒状の部材であり、第２本体部材２４の内部で摺動可能に配置されている。
【００３２】
また、感温ばねガイド部材５０の図２における左側端部は主弁体３０に当接するように配置され、この左側端部には、湯水混合装置本体２０ａに流入した湯及び水を混合させ、温度を均一にするための放射状の羽根５０ａが設けられている。
さらに、感温ばね３４は、感温ばねガイド部材５０の内部に配置されており、この感温ばね３４の図２における左側の端部は、感温ばねガイド部材５０に当接し、右側端部は第２本体部材２４の内壁面の端部に当接するように配置されている。この構成により、感温ばね３４は、感温ばねガイド部材５０を介して、主弁体３０を図２における左方向に付勢する。
【００３３】
また、第１本体部材２２の外側には、湯導入口２２ａ及び水導入口２２ｂを覆うように、円筒状のフィルター５２、５４がそれぞれ配置されており、湯又は水に混入したゴミ等が、湯水混合装置２０内に流入するのを防止している。
【００３４】
図３は、図２における湯水混合装置２０の外観図である。図３において、フィルター５２、５４は、説明の都合上、図示していない。
【００３５】
図３に示すように、第２本体部材２４は、第１本体部材２２へ挿入し、挿入方向に対して右ねじの回転を加え、その外周端部に形成された突出部２５を、第１本体部材２２の端部に形成された嵌合部２３と嵌合させることによって、第１本体部材２２に組み付けられている。突出部２５が形成された第２本体部材２４と主弁体３０との隙間が水導入口２２ｂであり、水導入口２２ｂの面積の大きさで、外部から導入する水の水量が設定される。また、水導入口２２ｂの面積が大きくなると、主弁体３０が移動できる範囲、即ちストロークが大きくなり、水導入口２２ｂの面積が小さくなると、ストロークが小さくなるといえる。
【００３６】
第１本体部材２２の嵌合部２３には、挿入方向へ離散した位置に、第１段部（段部）２３ａ及び第２段部（段部）２３ｂが設けられており、第１段部２３ａ及び第２段部２３ｂによって、嵌合部２３は段状に形成されている。
【００３７】
また、第１本体部材２２には、第２本体部２４が挿入される端部となる開口部６０に最も接近した段部である第１段部２３ａに、挿入方向へ凸設した第１凸部（凸部）５６が設けられている。第１凸部５６によって、第２本体部材２４の突出部２５が、使用者が意図せず、挿入方向に対して左ねじの回転が加わることで、嵌合部２３から外れてしまうことを防ぐ。突出部２５と嵌合部２３との結合を解除するためには、第２本体部材２４を第１本体部材２２への挿入方向に向かって押し込みながら、挿入方向に対して左ねじの回転を加えればよい。このときの押し込み量は、突出部２５が第１凸部５６を乗り越えることができる大きさであればよい。このような動作を行うことで、突出部２５は第１凸部（凸部）５６を乗り越えることができ、突出部２５と嵌合部２３との結合を解除できる。
【００３８】
次に、図４、５を用いて、第２本体部材２４の突出部２５が、第１段部２３ａから第２段部２３ｂへ移動することで、水導入口２２ｂの面積の大きさを、図２、３に示した状態から変更した場合の湯水混合装置２０について説明する。
【００３９】
図４は湯水混合装置２０の断面図であるが、各構成要素の役割は図２において説明したものと同じであるため、省略する。図４の湯水混合装置２０は、図２で示した湯水混合装置２０の状態から、第２本体部材２４を、第１本体部材２２への挿入方向に対して右ねじの回転方向へ、所定角度だけ回転させた状態、即ち第１本体部材２２を、第２本体部材２４が挿入される方向に対して左ねじの回転方向へ、所定角度だけ回転させた状態を表す図である。
【００４０】
このとき、第２本体部材２４の水側シート面２４ｂと主弁体３０との隙間である水導入口２２ｂは、図２で示した湯水混合装置２０の状態での水導入口２２ｂと比べ、面積が小さくなっている。これは、第２本体部材２４の第１本体部材２２に対する挿入量が変更されたためである。この変更動作について、図５を用いて説明する。
【００４１】
図５は、図４における湯水混合装置２０の外観図である。即ち、図５の湯水混合装置２０は、図３で示した湯水混合装置２０の状態から、第２本体部材２４を、第１本体部材２２への挿入方向に対して右ねじの回転方向へ、所定角度だけ回転させた状態、即ち第１本体部材２２を、第２本体部材２４が挿入される方向に対して左ねじの回転方向へ、所定角度だけ回転させた状態を表す図である。図５においても、図３と同様に、フィルター５２、５４は、説明の都合上、図示していない。
【００４２】
第１本体部材２２には、第２段部２３ｂに、挿入方向へ凸設した第２凸部（凸部）５８が設けられている。第２凸部５８によって、第２本体部材２４の突出部２５が、使用者が意図せず、挿入方向に対して左ねじの回転が加わることで、第２段部２３ｂから第１段部２３ａへ外れてしまうことを防ぐ。第２本体部材２４の突出部２５を、図３の状態から、第１本体部材２２の嵌合部２３に対して相対的に回転させるためには、第２本体部材２４を第１本体部材２２への挿入方向に向かって押し込みながら、挿入方向に対して左ねじの回転を加えればよい。このときの押し込み量は、突出部２５が第２凸部５８を乗り越えることができる大きさであればよい。
【００４３】
突出部２５を第２段部２３ｂから第１段部２３ａへ移動させるためには、第２本体部材２４を第１本体部材２２への挿入方向に向かって押し込みながら、挿入方向に対して左ねじの回転を加えればよい。このときの押し込み量は、突出部２５が第２凸部５８を乗り越えることができる大きさであればよい。このような動作を行うことで、突出部２５は第２凸部５８を乗り越えることができ、突出部２５を第２段部２３ｂから第１段部２３ａへ移動させることができる。
【００４４】
次に、図３、５、６、７を用いて、突出部２５が嵌合している段部の位置を表示する表示手段について説明する。
【００４５】
図３は、上述した通り、第２本体部材２４の突出部２５が、第１本体部材２２の第１段部２３ａの位置に嵌合されている状態での湯水混合装置２０を示す図である。図３に示すように、第１本体部材２２には切り欠き部（第１表示部）６２が設けられており、第２本体部材２４に対する切り欠き部６２の相対位置を見る事で、第１本体部材２２の第２本体部材２４に対する相対角度の大きさがわかる。一方、第２本体部材２４には第１凹部（第２表示部）６４ａ及び第２凹部（第２表示部）６４ｂが設けられており、第１本体部材２２に対する第１凹部６４ａ又は第２凹部６４ｂの相対位置を見る事で、第２本体部材２４の第１本体部材２２に対する相対角度の大きさがわかる。図３において、切り欠き部６２の位置と第１凹部６４ａの位置は、第２本体部材２４を第１本体部材２２への挿入方向に対してほぼ直線上に設けられている。
【００４６】
図６は、吐出口側から見た、図３における湯水混合装置を示す図である。図６からもわかる通り、切り欠き部６２の位置と第１凹部６４ａの位置は、第２本体部材２４を第１本体部材２２への挿入方向に対してほぼ直線上に設けられており、切り欠き部６２の位置と第１凹部６４ａの位置を見比べることで、第２本体部材２４の突出部２５が、第１本体部材２２の第１段部２３ａの位置に嵌合されているか否かがわかる。
【００４７】
図５は、上述した通り、第２本体部材２４の突出部２５が、第１本体部材２２の第２段部２３ｂの位置に嵌合されている状態での湯水混合装置２０を示す図である。図５において、切り欠き部６２の位置と第２凹部６４ｂの位置は、第２本体部材２４を第１本体部材２２への挿入方向に対してほぼ直線上に設けられている。
【００４８】
図７は、吐出口側から見た、図５における湯水混合装置を示す図である。図７からもわかる通り、切り欠き部６２の位置と第２凹部６４ｂの位置は、第２本体部材２４を第１本体部材２２への挿入方向に対してほぼ直線上に設けられており、切り欠き部６２の位置と第２凹部６４ｂの位置を見比べることで、第２本体部材２４の突出部２５が、第１本体部材２２の第２段部２３ｂの位置に嵌合されているか否かがわかる。
【００４９】
このように、切り欠き部６２の位置が、第１凹部６４ａの位置と第２凹部６４ｂの位置のうち、どちら側に設けられているかを見ることで、第２本体部材２４の突出部２５が、第１本体部材２２の第１段部２３ａの位置に嵌合されている状態なのか、第１本体部材２２の第２段部２３ｂの位置に嵌合されている状態なのかがわかる。即ち、水導入口２２ｂの面積が大きい状態なのか、小さい状態なのかが、一目でわかる。よって、湯水混合装置２０を分解せずとも、主弁体３０のストロークの大きさを調整することが可能である。
【００５０】
以上より、上述した本発明の一実施形態の湯水混合水栓１によれば、現場の湯と水の供給圧力条件に応じた正確な温度調節性能と、吐水性能（吐水量）と、を使用者が望むバランスに調整することができる湯水混合装置を提供することができる。
【００５１】
本発明の一実施形態においては、第１本体部材２２に湯側シート面２２ｃ、第２本体部材２４に水側シート面２４ｂを設ける構成にしたが、本発明は、このような構成に限定されるものではなく、例えば第１本体部材２２に水側シート面２４ｂ、第２本体部材２４に湯側シート面２２ｃを設ける構成にしてもよい。その場合、水導入口２２ｂではなく、湯導入口２２ａの面積の大きさを調整することで、主弁体３０のストロークの大きさを調整する構成となる。
【００５２】
また、本発明の一実施形態においては、第２本体部材２４を第１本体部材２２への挿入方向に向かって押し込みながら、挿入方向に対して回転を加えることで、段部の切替えを行う構成としたが、本発明はそれに限らず、例えば、スナップフィットによって第１本体部材２２と第２本体部材２４とを固定する構造にすれば、第２本体部材２４を第１本体部材２２へ挿入方向に向かって押し込むだけで、段部の切替えを行うことができる。
【００５３】
さらに、本発明の一実施形態においては、第１段部２３ａと第２段部２３ｂの２つの段部によって、２段階のストローク調整について述べたが、本発明はそれに限らず、段部を３つ以上設けてもよい。また、本発明の一実施形態においては、第１本体部材２２に段部を設ける構成にしたが、第２本体部材２４に設けてもよい。また、本発明の一実施形態においては、第１段部２３ａ及び第２段部２３ｂは、図３、５に示すように、第２本体部材２４の第１本体部材２２への挿入方向に対して垂直に、平らに形成されているが、斜めに形成した鋸状であってもよい。いずれにせよ、離散的に複数段階の調整を可能とすることによって、ネジをきるなどの無段階調整と比較して調整が行い易いという利点がある。ストローク調整量は非常に微量であり、無段階調整の機構で正確に調整を行うためには、別途隙間ゲージなどが必要となり、調整の難易度が上昇する。対して、本発明の構造を採用することで、設定量を離散的な複数の段階に限定することによって、簡単に所望のストローク量に設定することが可能となるのである。また、無段階調整の場合では、ゆるみが生じても気づきにくいが、離散的な段階であれば、ゆるみに気付きやすい。また、本発明の一実施形態のように、段階を表示する手段を設けることで、さらにゆるみに気付きやすくすることが出来る。
【００５４】
加えて、本発明の一実施形態においては、切り欠き部６２と第１凹部６４ａ及び第２凹部６４ｂによって、主弁体３０のストロークの状態を表示する構成としたが、本発明は、それに限らず、第１本体部材２２及び第２本体部材２４の表面に絵や文字を記載して、それらの位置を見比べることで、主弁体３０のストロークの状態を表示する構成等も含まれる。
【符号の説明】
【００５５】
１      湯水混合水栓
２      水栓本体
４      湯供給脚
６      水供給脚
８      湯温調節用操作ハンドル
１０    吐止水切替ハンドル
１２    カラン
１４    シャワーヘッド
１６    切替バルブ
２０    湯水混合装置
２０ａ  湯水混合装置本体
２２    第１本体部材（第１本体部）
２２ａ  湯導入口
２２ｂ  水導入口
２２ｃ  湯側シート面
２３    嵌合部
２３ａ  第１段部（段部）
２３ｂ  第２段部（段部）
２４    第２本体部材（第２本体部）
２４ｂ  水側シート面
２４ｃ  吐出口
２５    突出部
２６    送りねじ
２６ａ  スプライン部
２６ｂ  送り雄ねじ部
２８    摺動部材
２８ａ  溝
３０    主弁体
３０ａ  円筒部
３０ｂ  湯側シート部
３０ｃ  水側シート部
３２    バイアスばね
３４    感温ばね（感温付勢手段）
４４    ブッシュ
４６    ばね押え部材
４８    クリップ
５０    感温ばねガイド部材
５０ａ  羽根
５２，５４    フィルター
５６    第１凸部（凸部）
５８    第２凸部（凸部）
６０    開口部
６２    切り欠き部（第１表示部）
６４ａ  第１凹部（第２表示部）
６４ｂ  第２凹部（第２表示部）
【図２】
2015059653.tif 000003
【図３】
2015059653.tif 000004
【図４】
2015059653.tif 000005
【図５】
2015059653.tif 000006
【図６】
2015059653.tif 000007
【図７】
2015059653.tif 000008
【図１】
2015059653.tif 000009